【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】
受信機の感度を増加させる方法において、
受信機において、少なくとも１つのデータ境界を持つ第１の信号を外部のソースから受信するステップと、
受信機において、第１の信号内の少なくとも１つのデータ境界に関する情報を含む補助メッセージを第２のソースから受信するステップと、
相関コードを第１の信号に適用して、相関データを生成するステップと、
情報が第２のソースから受信されたデータ境界の第１のデータ境界に先行する第１のインターバルに対して相関コードを適用することによって、生成した相関データを累積して、第１の累積結果を生成するステップと、
情報が第２のソースから受信されたデータ境界の第１のデータ境界に後続する第２のインターバルに対して相関データを累積して、第２の累積結果を生成するステップとを含み、
第１および第２のインターバルのタイミングは、補助メッセージから確認された少なくとも１つのデータ境界のタイミングの知識に基づいている方法。
【請求項２】
第１の累積結果と第２の累積結果とを加算して、第１の完全累積結果を生成するステップと、
第２の累積結果から第１の累積結果を減算して、第２の完全累積結果を生成するステップと、
第２の完全累積結果より大きさが大きいときに、第１の完全累積結果を選択するステップと、
第１の完全累積結果より大きさが大きいときに、第２の完全累積結果を選択するステップとをさらに含む請求項１記載の方法。
【請求項３】
移動体ユニットにおいて、
データ位相情報を第１のソースから受信するように適合され、コンテンツ担持信号を第２のソースから受信するように適合されているコヒーレント積分器を具備し、
データ位相情報は、コンテンツ担持信号を時間に対してコヒーレントに積分するために使用される移動体ユニット。
【請求項４】
データ位相情報を受信するように適合されている第１の受信セクションと、
コンテンツ担持信号を受信するように適合されている第２の受信セクションとをさらに具備し、
第１および第２の受信セクションは、コヒーレント積分器に結合されている請求項３記載の移動体ユニット。
【請求項５】
第１の受信セクションは、データ位相情報を地上局から受信するように適合され、
第２の受信セクションは、コンテンツ担持信号を衛星から受信するように適合されている請求項４記載の移動体ユニット。
【請求項６】
地上局は通信ネットワーク内の基地局であり、
衛星はグローバルポジショニング衛星である請求項５記載の移動体ユニット。
【請求項７】
データ位相情報は、コンテンツ担持信号中のデータ境界におけるタイミングを示す請求項３記載の移動体ユニット。
【請求項８】
データ位相情報は複数の値を表現し、複数の値の各値はコンテンツ担持信号中のデータ境界における特定のタイミングを表現する請求項７記載の移動体ユニット。
【請求項９】
移動体ユニット中のデータ記憶媒体において、
データ記憶媒体は実行可能なデータを含み、
実行可能なデータは、
（ａ）データ位相情報を第１のソースから受信するステップと、
（ｂ）コンテンツ担持信号を第２のソースから受信するステップと、
（ｃ）データ位相情報を使用して、コンテンツ担持信号において時間に対してコヒーレント積分を実行するステップとをプログラム可能なデバイスに実行させるように適合されているデータ記憶媒体。
【請求項１０】
移動体ユニット中のデータ記憶媒体において、
データ記憶媒体は実行可能なデータを含み、
実行可能なデータは、
少なくとも１つのデータ境界を持つ第１の信号を第１のソースから受信するステップと、
第１の信号内の少なくとも１つのデータ境界のタイミングに関する情報を含んでいる補助メッセージを含む第２の信号を、第２のソースから受信するステップと、
相関コードを第１の信号に適用して、相関データを発生するステップと、
第１の信号内のデータ境界の第１のデータ境界に先行する第１の時間インターバルに対して相関データを累積して、第１の累積結果を発生するステップと、
第１の信号内のデータ境界の第１のデータ境界に後続する第２の時間インターバルに対して相関データを累積して、第２の累積結果を発生するステップとをプログラム可能なデバイスに実行させることができるデータ記憶媒体。
【請求項１１】
移動体ユニットにおいて、
信号中のデータ境界におけるタイミング遷移を表す予め定められたデータ位相情報に応答して、データ位相を持つ信号を移動体ユニットの外部にある第１のソースから受信するように適合されている受信機を具備する移動体ユニット。
【請求項１２】
予め定められたデータ位相情報は複数の値を表現し、
複数の値の各値は、信号中のデータ境界における特定のタイミング遷移を表現する請求項１１記載の移動体ユニット。
【請求項１３】
受信機は、移動体ユニットの外部にあり、第１のソースとは異なる第２のソースから予め定められたデータ位相情報を受信するように適合されている請求項１１記載の移動体ユニット。
【請求項１４】
受信機は、
第１のソースから信号を受信するように適合されている第１の受信セクションと、
第２のソースから予め定められたデータ位相情報を受信するように適合されている第２の受信セクションとをさらに備える請求項１３記載の移動体ユニット。
【請求項１５】
第１のソースは地上局であり、
第２のソースは衛星である請求項１３記載の移動体ユニット。
【請求項１６】
地上局は通信ネットワーク内の基地局であり、
衛星はグローバルポジショニング衛星である請求項１３記載の移動体ユニット。
【請求項１７】
受信機に電気的に結合され、信号および予め定められたデータ位相情報の受信機からの受信に応答して、予め定められたデータ位相情報を使用して、信号を時間に対してコヒーレントに積分するように適合されているコヒーレント積分器をさらに具備する請求項１１記載の移動体ユニット。
【請求項１８】
コヒーレント積分器は、コヒーレント積分の時間のウィンドウを信号に適用し、
コヒーレント積分器は、信号中のデータ境界におけるタイミング遷移がコヒーレント積分の時間のウィンドウ内で発生したときに、コヒーレント積分の時間のウィンドウの第１の部分と第２の部分とを識別し、
コヒーレント積分の時間のウィンドウの第１の部分は、信号中のデータ境界におけるタイミング遷移に時間的に先行し、
コヒーレント積分の時間のウィンドウの第２の部分は、信号中のデータ境界におけるタイミング遷移に時間的に後続する請求項１７記載の移動体ユニット。
【請求項１９】
コヒーレント積分の時間のウィンドウの第１の部分に対する信号を処理して、第１の処理信号を発生し、
コヒーレント積分の時間のウィンドウの第２の部分に対する信号を処理して、第２の処理信号を発生し、
第１の処理信号と第２の処理信号とを処理して、データ位相変化が信号中のデータ境界におけるタイミング遷移で発生したか否かを示すように適合されているプロセッサをさらに具備する請求項１８記載の移動体ユニット。
【請求項２０】
プロセッサは、
相関コードを信号に適用して、相関データを発生し、
コヒーレント積分の時間のウィンドウの第１の部分に対して相関データを累積することによって、コヒーレント積分の時間のウィンドウの第１の部分に対する信号を処理して、第１の累積結果を発生し、
コヒーレント積分の時間のウィンドウの第２の部分に対して相関データを累積することによって、コヒーレント積分の時間のウィンドウの第２の部分に対する信号を処理して、第２の累積結果を発生し、
第１の累積結果および第２の累積結果をそれぞれ処理することによって、第１の処理信号と第２の処理信号とを処理して、データ位相変化が信号中のデータ境界におけるタイミング遷移で発生したか否かを示すように適合されている請求項１９記載の移動体ユニット。
【請求項２１】
移動体ユニットにおいて、
信号中のデータ境界におけるタイミング遷移を表すデータ位相情報に応答して、データ位相を持つ信号をグローバルポジショニング衛星（ＧＰＳ）から受信するように適合され、
データ位相情報を地上基地局から受信するように適合されている受信機を具備する
移動体ユニット。
【請求項２２】
データ位相情報は複数の値を表現し、
複数の値の各値は、信号中のデータ境界における特定のタイミング遷移を表現する請求項２１記載の移動体ユニット。
【請求項２３】
受信機は、
信号をＧＰＳから受信するように適合されている第１の受信セクションと、
データ位相情報を地上基地局から受信するように適合されている第２の受信セクションとをさらに備えている請求項２１記載の移動体ユニット。
【請求項２４】
受信機に電気的に結合され、信号およびデータ位相情報の受信機からの受信に応答して、データ位相情報を使用して、信号を時間に対してコヒーレントに積分するように適合されているコヒーレント積分器をさらに具備する請求項２１記載の移動体ユニット。
【請求項２５】
コヒーレント積分器は、コヒーレント積分の時間のウィンドウを信号に適用し、
コヒーレント積分器は、信号中のデータ境界におけるタイミング遷移がコヒーレント積分の時間のウィンドウ内で発生したときに、コヒーレント積分の時間のウィンドウの第１の部分と第２の部分とを識別し、
コヒーレント積分の時間のウィンドウの第１の部分は、信号中のデータ境界におけるタイミング遷移に時間的に先行し、
コヒーレント積分の時間のウィンドウの第２の部分は、信号中のデータ境界におけるタイミング遷移に時間的に後続する請求項２４記載の移動体ユニット、
【請求項２６】
コヒーレント積分の時間のウィンドウの第１の部分に対する信号を処理して、第１の処理信号を発生し、
コヒーレント積分の時間のウィンドウの第２の部分に対する信号を処理して、第２の処理信号を発生し、
第１の処理信号と第２の処理信号とを処理して、データ位相変化が信号中のデータ境界におけるタイミング遷移で発生したか否かを示すように適合されているプロセッサをさらに具備する請求項２５記載の移動体ユニット。
【請求項２７】
プロセッサは、
相関コードを信号に適用して、相関データを発生し、
コヒーレント積分の時間のウィンドウの第１の部分に対して相関データを累積することによって、コヒーレント積分の時間のウィンドウの第１の部分に対する信号を処理して、第１の累積結果を発生し、
コヒーレント積分の時間のウィンドウの第２の部分に対して相関データを累積することによって、コヒーレント積分の時間のウィンドウの第２の部分に対する信号を処理して、第２の累積結果を発生し、
第１の累積結果および第２の累積結果をそれぞれ処理することによって、第１の処理信号と第２の処理信号とを処理して、データ位相変化が信号中のデータ境界におけるタイミング遷移で発生したか否かを示すように適合されている請求項２６記載の移動体ユニット。
【請求項２８】
移動体ユニット内で使用するためのデータ記憶媒体において、
実行可能なデータを含み、
実行可能なデータは、
信号中のデータ境界におけるタイミング遷移を表す予め定められたデータ位相情報に応答して、データ位相を持つ信号を移動体ユニットの外部にある第１のソースから受信することをプログラム可能なデバイスに実行させるように適合されているデータ記憶媒体。
【請求項２９】
予め定められたデータ位相情報は複数の値を表現し、
複数の値の各値は、信号中のデータ境界における特定のタイミング遷移を表現する請求項２８記載のデータ記憶媒体。
【請求項３０】
プログラム可能なデバイスは、
移動体ユニットの外部にあり、第１のソースとは異なる第２のソースから予め定められたデータ位相情報を受信することをさらに実行する請求項２８記載のデータ記憶媒体。
【請求項３１】
第１のソースは地上局であり、
第２のソースは衛星である請求項３０記載のデータ記憶媒体。
【請求項３２】
地上局は通信ネットワーク内の基地局であり、
衛星はグローバルポジショニング衛星である請求項３１記載のデータ記憶媒体。
【請求項３３】
プログラム可能なデバイスは、
信号および予め定められたデータ位相情報の受信に応答して、予め定められたデータ位相情報使用して、信号を時間に対してコヒーレントに積分することをさらに実行する請求項２８記載のデータ記憶媒体。
【請求項３４】
プログラム可能なデバイスは、
コヒーレント積分の時間のウィンドウを信号に適用することと、
信号中のデータ境界におけるタイミング遷移がコヒーレント積分の時間のウィンドウ内で発生したときに、コヒーレント積分の時間のウィンドウの第１の部分と第２の部分とを識別することとをさらに実行し、
コヒーレント積分の時間のウィンドウの第１の部分は、信号中のデータ境界におけるタイミング遷移に時間的に先行し、
コヒーレント積分の時間のウィンドウの第２の部分は、信号中のデータ境界におけるタイミング遷移に時間的に後続する請求項３３記載のデータ記憶媒体。
【請求項３５】
プログラム可能なデバイスは、
コヒーレント積分の時間のウィンドウの第１の部分に対する信号を処理して、第１の処理信号を発生することと、
コヒーレント積分の時間のウィンドウの第２の部分に対する信号を処理して、第２の処理信号を発生することと、
第１の処理信号と第２の処理信号とを処理して、データ位相変化が信号中のデータ境界におけるタイミング遷移で発生したか否かを示すこととをさらに実行する請求項３４記載のデータ記憶媒体。
【請求項３６】
プログラム可能なデバイスは、
相関コードを信号に適用して、相関データを発生することと、
コヒーレント積分の時間のウィンドウの第１の部分に対して相関データを累積することによって、コヒーレント積分の時間のウィンドウの第１の部分に対する信号を処理して、第１の累積結果を発生することと、
コヒーレント積分の時間のウィンドウの第２の部分に対して相関データを累積することによって、コヒーレント積分の時間のウィンドウの第２の部分に対する信号を処理して、第２の累積結果を発生することと、
第１の累積結果および第２の累積結果それぞれを処理することによって、第１の処理信号と第２の処理信号とを処理して、データ位相変化が信号中のデータ境界におけるタイミング遷移で発生したか否かを示すこととをさらに実行する請求項３５記載のデータ記憶媒体。